(57)【要約】      （修正有）【課題】災害時に有用な、大きさを調整できるシートから構成されるかばん、すなわち、シート兼用かばん及びシートからかばんを作製する方法を提供する。【解決手段】シート１から構成されるかばんであって、前記シート１を第１折曲線２１で二つに折り曲げて形成される、かばんの前面になる前面部３と、前記シートを第１折曲線２１で二つに折り曲げて形成される、かばんの後面になる後面部４と、第１折曲線２１に交差する第２折曲線２２で、前記シートを前面部３と後面部４が重なった状態で折り曲げて形成される、前記前面部の上にある第１外側部５１と、第２折曲線２２とは異なる、第１折曲線２１に交差する第３折曲線２３で、前記シートを前面部３と後面部４が重なった状態で折り曲げて形成される、前記前面部３の上にある第２外側部５２と、を含む、かばん。【選択図】図１
2015226610.tif 000002
【特許請求の範囲】
【請求項１】
シートから構成されるかばんであって、
前記シートを第１折曲線で二つに折り曲げて形成される、かばんの前面になる前面部と、
前記シートを第１折曲線で二つに折り曲げて形成される、かばんの後面になる後面部と、
第１折曲線に交差する第２折曲線で、前記シートを前面部と後面部が重なった状態で折り曲げて形成される、前記前面部の上にある第１外側部と、
第２折曲線とは異なる、第１折曲線に交差する第３折曲線で、前記シートを前面部と後面部が重なった状態で折り曲げて形成される、前記前面部の上にある第２外側部と、を含む、かばん。
【請求項２】
前記第１外側部及び前記第２外側部を折り曲げた状態に保持できるように、前記シートの少なくとも一つの辺の近傍に、少なくとも一つ以上の第１掛止部を有し、前記前面部は、第１掛止部に結合できる第２掛止部を有する、請求項１に記載のかばん。
【請求項３】
前記第１外側部及び前記第２外側部を折り曲げた状態で、前記前面部と前記後面部の上端部を、かばんの上端から底の方向へ巻き込むことによって形成されるロール部をさらに含む、請求項１又は２に記載のかばん。
【請求項４】
前記ロール部を保持できるように、前記シートは、第２折線部上及び第３折線部上に第３掛止部と、第３掛止部に結合できる第４掛止部とをそれぞれ有し、前記第３掛止部は、前記ロール部を形成するために前記前面部と前記後面部の上端部を巻いても、巻き込まれない構成になっている、請求項３に記載のかばん。
【請求項５】
前記巻き込まれない構成は、一方の端部が第２折線部上又は第３折線部上に縫合され、もう一方の端部が長辺付近で縫合されているベルトと、ベルトに接続されてあり、ベルトに沿って移動可能なフックとから構成されている、請求項４に記載のかばん。
【請求項６】
前記シートは、背負いベルト及び／又は把持部を備えている、請求項１〜５のいずれか一項に記載のかばん。
【請求項７】
シートからかばんを形成する方法であって、
前記シートを第１折曲線で、前記シートを二つに折り曲げるステップと、
前記第１折曲線に交差する第２折曲線及び第３折曲線で、折り曲げられたシートが重なった状態で、前記シートをさらに折り曲げるステップとを含む方法。
【請求項８】
第２折曲線及び第３折曲線で前記シートをさらに折り曲げた後、かばんの上端部を巻き込む工程をさらに含む請求項７に記載の方法。
【発明の詳細な説明】
【技術分野】
【０００１】
本発明は、シートから構成されるかばんに関する。具体的には、必要な場合にはシートにもなるかばんに関するものである。
【背景技術】
【０００２】
緊急時、特に災害時には、移動する際に食料品や救急医薬品などの多くの物品を運ぶ必要があるので、少しでも荷物を減らしたいという要望がある。さらに、被災地においては敷物や寝具が用意されているとも限らず、そのような状況であっても、横になって休息を取る必要もある。一方、敷物として利用される一般的なアウトドア用シートは、ポリプロピレンの平織りシート等で極めて薄地なため、下地が川原や藪のような場所は凹凸が多く、座り心地が悪いという問題がある。
【０００３】
上記問題の解決として、多用途バッグ（ 特許文献１） や、箱状又はかばん兼用シート（特許文献２） が提案されている。これらのバックは、災難時等で両手が使えるように、リュックのように背負うことができず、また、運ぶ荷物の量に応じて、かばんの大きさの調整ができる機構がないため、災害時などの緊急時の要求を満足させることはできない。
【先行技術文献】
【特許文献】
【０００４】
【特許文献１】特開２００４−３５８０１５号公報
【特許文献２】特開２００１−３２１２１４号公報
【発明の概要】
【発明が解決しようとする課題】
【０００５】
災害時に有用な、大きさを調整できるシートから構成されるかばん、すなわち、シートにもなるかばん及びシートからかばんを作製する方法を提供することを目的とする。
【課題を解決するための手段】
【０００６】
上記課題を解決するため、本発明は、シートから構成されるかばんであって、前記シートを第１折曲線で二つに折り曲げて形成される、かばんの前面になる前面部と、前記シートを第１折曲線で二つに折り曲げて形成される、かばんの後面になる後面部と、第１折曲線に交差する第２折曲線で、前記シートを前面部と後面部が重なった状態で折り曲げて形成される、前記前面部の上にある第１外側部と、第２折曲線とは異なる、第１折曲線に交差する第３折曲線で、前記シートを前面部と後面部が重なった状態で折り曲げて形成される、前記前面部の上にある第２外側部と、を含む、かばんを提供する。
【０００７】
また、本発明は  シートからかばんを形成する方法であって、前記シートを第１折曲線で、前記シートを二つに折り曲げるステップと、前記第１折曲線に交差する第２折曲線及び第３折曲線で、折り曲げられたシートが重なった状態で、前記シートをさらに折り曲げるステップとを含む方法を提供する。
【発明の効果】
【０００８】
本発明の災害時に有用なシートから構成されるかばんは、シートや寝具としても利用することもでき、かばんが必要な時には簡易な方法でシートからかばんを作成することができる。
【図面の簡単な説明】
【０００９】
【図１】図１は、本発明の実施例である、かばん１０を構成するシート１の表面１１の上面図である。
【図２】図２は、本発明の実施例である、かばん１０を構成するシート１の裏面１２の上面図である。
【図３】図３は、図１及び図２のシート１の裏面１２を内側にして第１折曲線２１で折り曲げた時の上面図である（前面部３側）。
【図４】図４は、図３の状態から第２折曲線２２で折り曲げて、外側部１を形成し、第１掛止部と第２掛止部とを結合させた状態の時の上面図である。
【図５】図５は、図４の状態から第３折曲線で折り曲げて、外側部２を形成し、第１掛止部と第２掛止部とを結合させた状態の上面図である。
【図６】図６は、図５の状態から、上端部近傍を重ねた状態で前面部３と後面部４を巻き込み、第３掛止部と第４掛止部とを結合させて、かばん１０を作製した状態の上面図である。
【図７】図７は、作成したかばん１０を、背負った状態の斜視図である。
【発明を実施するための形態】
【００１０】
以下、本発明の実施の形態について図面を参照して説明する。  
【実施例】
【００１１】
（構成）
シート１について説明する。
【００１２】
本実施例では、シート１の形状は長方形である。かばん１０を形成できるのであれば、シート１の形状は特に限定されないが、かばん１０を形成する際の取り扱いの観点から、平行の一対の辺を二つ有する多角形、特に四角形であることが好ましい。シート１を敷いて、その上に寝ることができるようにするためには、一対の辺が他方の一対の辺よりも長い四角形、例えば、長方形にすることが好ましい。
【００１３】
本実施例では、シート１はキャンパス生地で構成されている。本革、合成皮革、キルト、デニム、ポリエステルなども使用できるが、アウトドアでの利用を考慮すると、シート１の表面１１に水に強い生地を使用する方が好ましい。また、必要な箇所には、生地を重ね合わせて、完成させたかばん１０を補強することができる。
【００１４】
シート１の構成について、図を参照して説明する。
【００１５】
図１は、本発明のかばん１０を構成できるシート１の表面１１を示し、図２は、シート１の裏面１２を示す
【００１６】
後述するが、シート１は、裏面１２が内側になるように、第１折曲線２１で二つに折り曲げ、さらに、第１折曲線２１に交差する第２折曲線２２及び第３折曲線２３で折り曲げる。本実施例では、二つに折り曲げる際の第１折曲線２１は、長方形のシート１の長辺の中心を通る、短辺と平行な線であり、第２折曲線２２及び第３折曲線２３は、第１折曲線２１に垂直に交わる直線である。シート１の表面１１は、第１折曲線２１により、かばん１０の前面部３側と後面部４側に区画され、第２折曲線２２とそれに近い長辺の間の領域は、後述する第１外側部５１になる部分であり、第３折曲線２３とそれに近い長辺の間の領域は、第２該側部５２になる部分である。以下、シート１を後面部４側の領域と前面部３側の領域についてそれぞれ説明する。
【００１７】
（シート１の表面１１の後面部４側の構成について）
図１で示されるように、シート１の、二つに折り曲げた場合の後面部４側の領域には、１０の第１掛止部７１、７１、・・・、２つの第３掛止部７３、７３、６つの第４掛止部７４、７４、・・・、２つの背負いベルト８、８及び把持部９が設けられている。
【００１８】
第１掛止部７１、７１、・・・は、後面部４における、長方形のシート１の２つの長辺近傍にそれぞれ５個ずつ、合計１０個設けられている。第１掛止部７１、７１、・・・が配置されている領域は第１外側部５１及び第２外側部５２になる領域である。第１掛止部７１、７１、・・・は、後述する、第２折曲線２２及び第３折曲線２３でシート１を折り曲げた際に、後述する第２掛止部７２、７２、・・・と結合し、その折り曲げた状態を保持できる。本実施例では、第１掛止部７１、７１、・・・はベルトとベルトに接続したフックとから構成されており、シート１の長辺近傍に、当該ベルトの端部が縫合されている。長さが調節できるベルトを用いることもでき、その場合は、かばん１０にサイズの大きい物が入っていても、第１掛止部７１、７１、・・・のベルトの長さを調整し、後述する第２掛止部７２、７２、・・・と結合することができる。なお、シート１を寝具や敷物として使用するときは、フックを広げたシート１の外部に配置することができ、シート１上で、フックによる凹凸を避けることができる。
【００１９】
第３掛止部７３、７３は、表面１１の後面部４側における短辺近傍、すなわち、ロール部６を形成する前のかばん１の上端部近傍であって、第２折曲線２２及び第３折曲線２３上に配置されている。第３掛止部７３、７３は、前記前面部３と前記後面部４の上端部を巻き込むことによってロール部６を形成した後、第４掛止部７４、７４、・・・と結合し、ロール部６のロールされた状態を保持することができる。
【００２０】
第３掛止部７３は、第２折曲線２２及び第３折曲線２３からそれぞれ近い側の長辺近傍まで伸びるベルトと、それぞれにベルトに取り付けられているフックから構成されており、当該フックは、それぞれのベルト上でシート１の短辺と平行の方向に移動可能である。第３掛止部７３、７３が、第４掛止部７４、７４、・・・と結合する際は、フックを第２折曲線２２及び第３折曲線２３上に位置させる。また、シート１を敷物や寝具として利用するときは、フックの凹凸が気にならないように、広げたシート１の長辺近傍までフックを移動させることができる。
【００２１】
後面部４側には、かばん１０をリュックとして使用する際に利用する背負いベルト８、８と、かばん１０を手で持つ際に使用する把持部９とが備えられている。背負いベルト８、８及び把持部９のいずれか一方を備えることにより、かばんとして機能するが、背負いベルト８、８及び把持部９をいずれも備えることにより、２ＷＡＹタイプのかばんとして使用できる。
【００２２】
第４掛止部７４、７４、・・・は、第２折曲線２２及び第３折曲線２３と、把持部９の両端を通る仮想の直線とが交差する点の近傍に３個ずつ、合計６個設けられている。第４掛止部７４、７４、・・・は、ベルト状であり、かばん１０に入っている荷物の量に応じて、適切な位置の第４掛止部７４、７４、・・・を選択することができる。第４掛止部７４、７４、・・・はベルト状であるので、第３掛止部７３、７３のそれぞれのフックを第４掛止部７４、７４、・・の適切な位置にひっかけることにより、第３掛止部７３と第４掛止部７４とを結合させることができる。
【００２３】
なお、かばんを形成するとき、第３掛止部７３、７３のフックと第４掛止部７４、７４、・・は、第２折曲線２２及び第３折曲線２３上にあるので、シート１を第２折曲線２２及び第３折曲線２３で折り曲げたとき、かばん１０の側端部近傍に位置することになる。すなわち、第３掛止部７３と第４掛止部７４とを結合させる際は、かばん１０の両側端部で互いに結合させることになる。
【００２４】
（シート１の表面１１の前面部３側の構成について）
シート１の表面１１における、前面部３には、２つの第２掛止部７２が５列、すなわち、合計１０個の第２掛止部７２が設けられている。
【００２５】
第２掛止部７２、７２・・・は、ベルトで構成されており、第１折曲線２１で折り曲げた後、第２折曲線２２及び第３折曲線２３でシート１を折り曲げた際に、第１掛止部７１のフックが第２掛止部７２のベルトにひっかけて結合できる構成になっている。第１掛止部７１と第２掛止部７２とを結合させることで、第２折曲線２２及び第３折曲線２３で折り曲げた状態が保持できる。
【００２６】
（シート１の裏面１２について）
図２に示されるシート１の裏面１２には、ポケット１３を備える。シート１の裏面１２は、かばん１０を作製した際に、かばん１０の内側になるため、当該ポケット１３は、かばん１０の中のポケット１３になる。なお、シート１の裏面１２は、ポケット１３以外の部材がないため、シート１を寝具として利用する場合は、裏面１２を利用者側にして使用する方が、凹凸が少なく、好ましい。
【００２７】
本実施例では、シート１の裏面１２は、表面１１と同素材である。シートを寝具や敷物などに使用する場合は、裏面１２は利用者側の面になるため、肌触りの良い、キルト地や起毛素材を用いることができる。
【００２８】
（シート１からかばん１０を形成するための手順）
次に、シート１からかばん１０を構成する手順を、図３〜図７の順に説明する。
【００２９】
図３は、図１及び図２のシート１の裏面１２を内側にして第１折曲線２１で折り曲げた時の上面図であり、前面部３側を示す。本実施例では、長辺の中心を通る短辺と平行な線である第１折曲線２１で折り曲げ、シート１を二つに折っているが、平行ではない第１折曲線２１でも、かばん１０を作成することはできる。この際、シート１は裏面１２同士が合わさるように、折り曲げる。図３では、かばん１０の後面部３側の領域を示している。
【００３０】
図４は、図３の状態から第１折曲線２１と交差する第２折曲線２２で折り曲げ、かばん１０の第１外側部５１を形成している状態を示す。第１外側部５１は、一枚のシート１を第１折曲線２１で折り曲げた後に、第２折曲線２２が形成できるように、前面部３と後面部４とを重ねた状態で前面部３側に重ねたシートを折り曲げることで、形成される。このように折り曲げることで、形成された第１外側部５１は前面部３の上に配置される。なお、実施例では第２折曲線２２は、第１折曲線２１に垂直に交差しているが、かばん１０を形成できるのであれば、必ずしも垂直に交差しなくてもよい。また、第２折曲線２２で折り曲げる前に、折りたたんでいるシート長辺の下部（かばんの底部側）を内側に折り込み、その後、第２折曲線２２で折り曲げることで、かばん１０を強化することができる。
【００３１】
第２折曲線２２の折り曲げられた状態を保持するため、第１外側部５１上の５つの第１掛止部７１、７１、・・・と、前面部３に備えられている５つの第２掛止部７２、７２、・・・とを結合させる。本実施例では、第１掛止部７１、７１・・・を第２掛止部７２である５つのベルトにひっかけて結合させる。
【００３２】
図５は、重ねたシートを第３折曲線２３で折り曲げ、第２外側部５２を形成していることを示している。第２外側部５２の形成は、一枚のシート１を第１折曲線２１で折り曲げ、さらに第２折曲線２２で折り曲げて第１外側部５１を形成した後に行っている。しかし、第２外側部５２を形成した後で、第１外側部５１を形成してもよい。第２外側部５２も、前面部３と後面部４とを重ねた状態で、前面部３側に折り曲げることで形成される。このように折り曲げることで、形成された第２外側部５２も前面部３の上に配置される。なお、実施例では第３折曲線２３は、第１折曲線２１に垂直に交差しているが、かばん１０を形成できるのであれば、必ずしも垂直に交差しなくてもよい。また、第３折曲線２３で折り曲げる前に、折りたたんでいるシート長辺の下部（かばんの底部側）を内側に折り込み、その後、第３折曲線２３で折り曲げることで、かばん１０を強化することができる。
【００３３】
第３折曲線２３の折り曲げられた状態を保持するため、第２外側部５２上の５つの第１掛止部７１を、前面部３に備えられている、まだ第１掛止部７１と結合されていない５つの第２掛止部７２、７２、・・・と結合させる。本実施例では、第２外側部も第１掛止部７１、７１・・・を第２掛止部７２である５つのベルトにひっかけて結合させる。
【００３４】
図６は、かばん１０の上端、すなわち、かばん１０の開口部近傍を下方に向かって巻き込みながら、ロール部６を形成し、２つの第３掛止部７３、７３と２つの第４掛止部７４、７４とを結合させて、かばん１０を完成させた状態を示す。巻き込みは、かばん１０の前面部３側に行う。すなわち、ロール部６が、かばん１０の前面部側に形成されるように、かばん１０の上端を巻き込む。巻き込み時は、第３掛止部７３、７３は、第２折曲線２２及び第３折曲線２３上に位置する。第２折曲線２２及び第３折曲線２３上に位置させると、図３、図４のように、第２折曲線２２、第３折曲線２３で折り曲げた場合、第３掛止部７３、７３は、かばん１０の側端部に位置するようになる。また、第４掛止部７４、７４、・・・も、第２折曲線２２及び第３折曲線２３上にあるため、第２折曲線２２及び第３折曲線２３で折り曲げると、第４掛止部７４、７４、・・・もかばん１０の端側部に位置するようになる。かばん１０の端側部に位置する第３掛止部７３、７３は、かばん１０の上端部を巻き込んだとしても、一緒に巻き込まれることはない。なお、このように巻き込まれないようにするため、本実施例では第３掛止部７３、７３が、一方の端部が第２折線部上又は第３折線部上に縫合され、もう一方の端部が長辺付近で縫合されてあるとベルトに接続されたフックとから構成されている。所定の位置まで上端部を巻いたら、第３掛止部７３と、第４掛止部７４とをかばん１０の側面で結合させる。
【００３５】
前述したように、第３掛止部７３、７３は、シート１を寝具として使用する場合に、第３掛止部７３、７３のフック等の存在により、シート１に凹凸ができる場合も考えられるが、本実施例では、第３掛止部７３、７３は、ベルトとフックから構成されているため、第３掛止部７３、７３のフックをできるだけシート１の長辺側、すなわち、シート１の端部に移動させることができ、快適さの悪化を回避できる。
【００３６】
図７は実際に完成したかばん１０を背負った状態の斜視図である。かばん１０の後面部４に背負いベルト８、８を設けることでこのように背負うことができる。また手で持つこともできるように、後面部４に把持部９も設けている。
【００３７】
（効果）
次に、本実施例のシートから構成されるかばんの効果を列挙する。
［１］  本発明の、シート１から構成されるかばん１０であって、前記シート１を第１折曲線２１で二つに折り曲げて形成される、かばん１０の前面になる前面部３と、前記シート１を第１折曲線２１で二つに折り曲げて形成される、かばん１０の後面になる後面部４と、第１折曲線２１に交差する第２折曲線２２で、前記シート１を前面部３と後面部４が重なった状態で折り曲げて形成される、前記前面部３の上にある第１外側部５１と、第２折曲線２２とは異なる、第１折曲線２１に交差する第２折曲線２３で、前記シート１を前面部３と後面部４が重なった状態でさらに折り曲げて形成される、前記前面部３の上にある第２外側部５２と、を含む、かばん１０は、シート１から簡便な方法でかばん１０を作成することができ、当該シート１は、敷物、寝具等としても利用することもできる。
【００３８】
［２］  前記第１外側部５１及び前記第２外側部５２を折り曲げた状態に保持できるように、前記シート１の少なくとも一つの辺の近傍に、少なくとも一つ以上の第１掛止部７１、・・・を有し、前記前面部３は、第１掛止部７１、・・・に結合できる第２掛止部７２
・・・を有する、上記［１］に記載のかばん１０は、第１掛止部７１、・・・と第２掛止部７２、・・・で結合することで、容易にかばん１０の側面を形成できる。
【００３９】
［３］  前記第１外側部及び前記第２外側部を折り曲げた状態で、前記前面部３と前記後面部４の上端部を、かばん１０の上端から底の方向へ巻き込むことによって形成されるロール部６をさらに含む、［１］又は［２］に記載のかばん１０は、ロール部６を形成することにより、かばん１０の開口部を塞ぐことができ、巻き込む時の巻き方を調整することにより、かばん１０の大きさを容易に調整することができる。なお、寝具として使用する場合は、人間の身長程度の長さのシートであることが望ましいが、本発明のシートは、ロール部６によりかばん１０のサイズ調整ができ、ある程度長いシートであっても、コンパクトにかばん１を形成できる。
【００４０】
［４］  前記ロール部６を保持できるように、前記シート１は、第２折曲線上２２及び第３折曲線２３上に第３掛止部７３、・・・と、第３掛止部７３、・・・に結合できる第４掛止部７４、・・・とをそれぞれ有し、前記第３掛止部は、前記ロール部６を形成するために前記前面部と前記後面部の上端部を巻いても、巻き込まれない構成になっている、［３］に記載のかばん１０は、第３掛止部７３、・・・と第４掛止部７４、・・・を使用して、容易にロール部６を固定でき、また、第３掛止部７３が、ロール部６の形成時に巻き込まれない構成にすることにより、かばん１０の側面で第３掛止部７３、・・・と第４掛止部７４、・・・とを結合させ、ロール部６を保持することができる。
【００４１】
［５］  前記巻き込まれない構成は、一方の端部が第２折線部上又は第３折線部上に縫合され、もう一方の端部が長辺付近で縫合されているベルトと、ベルトに接続されてあり、ベルトに沿って移動可能なフックとから構成されている、［４］に記載のかばん１は、シンプルな構成で、第３掛止部７３が巻き込まれないようにし、かつ、シート１を敷物、寝具として使用する時には、第３掛止部７３のフックをシート１の長辺方向、すなわち、シート１の端部に移動させることができ、シート１における凹凸を回避し、シートを寝具、敷物に利用する時の快適性を高めている。
【００４２】
［６］  前記シート１は、背負いベルト８、８及び／又は把持部９を備えている、［１］〜［５］のいずれか一つに記載のかばん１０は、かばん１０をリュックタイプ及び／又は手で持つことができるようになる。
【００４３】
［７］  シート１からかばん１０を形成する方法であって、  前記シート１に第１折曲線２１で、前記シート１を二つに折り曲げるステップ、前記第１折曲線２１に交差する第２折曲線２２及び第３折曲線２３で、折り曲げられたシート１が重なった状態で、前記シート１をさらに折り曲げるステップとを含む方法は、容易にシート１からかばん１０を形成することができる。
【００４４】
［８］  第２折曲線２２及び第３折曲線２３で前記シート１をさらに折り曲げた後、かばん１０の上端部を巻き込む工程をさらに含む［７］に記載の方法は、巻き込む工程により、かばん１０の開口部を容易に閉じることができ、また、かばん１０の容量も調整することができる。
【００４５】
以上、図面を参照して、本発明の実施例を詳述してきたが、具体的な構成はこの実施例に限らず、本発明の要旨を逸脱しない程度の設計的変更は、本発明に含まれる。
【符号の説明】
【００４６】
１            シート
１１          シートの表面
１２          シートの裏面
１３          シートの裏面のポケット
２１          第１折曲線
２２          第２折曲線
２３          第３折曲線
３            前面部
４            後面部
５１          第１外側部
５２          第２外側部
６            ロール部
７１          第１掛止部
７２          第２掛止部
７３          第３掛止部
７４          第４掛止部
８            背負いベルト
９            把持部
１０          かばん
【図１】
2015226610.tif 000003
【図２】
2015226610.tif 000004
【図３】
2015226610.tif 000005
【図４】
2015226610.tif 000006
【図５】
2015226610.tif 000007
【図６】
2015226610.tif 000008
【図７】
2015226610.tif 000009
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
シートから構成されるかばんであって、
前記シートを第１折曲線で二つに折り曲げた時に形成される前面部であって、第２掛止部を有し、かばんの前面になる前面部と、
前記シートを第１折曲線で二つに折り曲げた時に形成される後面部であって、かばんの後面になる後面部と、
前記第１折曲線に交差する第２折曲線で、前記シートを前記前面部と前記後面部が重なった状態で前記前面部側に折り曲げて形成される第１外側部であって、前記第２掛止部と結合する第１掛止部を有し、前記かばんの側面を形成し、前記前面部の上に重なっている第１外側部と、
前記第１折曲線に交差する第３折曲線であって、前記第２折曲線とは異なる第３折曲線で、前記シートを前記前面部と前記後面部が重なった状態で前面部側に折り曲げて形成される第２外側部であって、前記第２掛止部と結合する第１掛止部を有し、前記かばんの側面を形成し、前記前面部の上に重なっている第２外側部と、
前記前面部と前記後面部の上端を、かばんの上端から底の方向に向かって巻き込むことによって、前記かばんの開口を塞ぐロール部とを含み、
前記かばんは、前記第２折曲線及び前記第３折曲線上に配置され、かばんの開口の近傍に配置される第３掛止部であって、前記ロール部を形成するために前記前面部と前記後面部の上端部を巻いても、巻き込まれない構成になっている、第３掛止部と、前記第２折曲線及び前記第３折曲線上に配置される第４掛止部とを有し、ロール部を保持するため、前記第３掛止部と第４掛止部とが結合する、かばん。
【請求項２】
前記シートは略長方形であり、前記第１掛止部は、前記シートの状態で長辺の近傍にある、請求項１に記載のかばん。
【請求項３】
前記巻き込まれない構成は、一方の端部が前記第２折曲線又は前記第３折曲線上に縫合され、もう一方の端部が長辺付近で縫合されているベルトと、ベルトに接続されてあり、ベルトに沿って移動可能なフックとから構成されている、請求項１又は２に記載のかばん。
【請求項４】
前記シートは、背負いベルト及び／又は把持部を備えている、請求項１〜３のいずれか一項に記載のかばん。
【請求項５】
第１掛止部と、第２掛止部と、第３掛止部と、第４掛止部とを有するシートからかばんを形成する方法であって、
前記シートを第１折曲線で二つに折り曲げるステップであって、折り曲げることにより、前記かばんの前面になる前面部であって、前記第２掛止部を有する前面部と、前記かばんの後面になる後面部とが形成されるステップと、
前記第１折曲線に交差する第２折曲線で、前記前面部と前記後面部とが重なった状態で前記前面部側に折り曲げるステップであって、前記第１掛止部を有する第１外側部が、前記前面部上に形成されるステップと、
前記第１外側部の前記第１掛止部と前記前面部の前記第２掛止部とを結合するステップと、
前記第１折曲線に交差する第３折曲線であって、前記第２折曲線とは異なる第３折曲線で、前記前面部と前記後面部とが重なった状態で前記前面部側に折り曲げるステップであって、前記第１掛止部を有する第２外側部を前記前面部上に形成するステップと、
前記第２外側部の前記第１掛止部と、前記前面部の前記第２掛止部とを結合するステップと、
前記前面部と前記後面部の上端を巻き込むことでロール部を形成し、前記かばんの開口を塞ぐステップと、
前記第２折曲線及び前記第３折曲線上に配置され、かばんの開口の近傍に配置される前記第３掛止部と、前記第２折曲線及び前記第３折曲線上に配置され、前記第３掛止部に結合できる前記第４掛止部とを結合し、前記ロール部を保持するステップとを含む、方法。